(57)【要約】【課題】ポータブルデジタルオーディオプレーヤ２０の構成の簡単化を図る。【解決手段】ＣＤ再生装置１１において、光ピックアップ装置１３は、ＣＤをセットされて、ＣＤに記録されているトラックのＲＦ信号を出力する。ＣＰＵ１２は、ＲＦ信号を復調して、デジタル信号を生成する。該デジタル信号は、圧縮エンコーダ１５により圧縮され、圧縮後のデジタル信号はメモリ１４のバッファ領域に記憶される。ＣＰＵ１２は、ポータブルデジタルオーディオプレーヤ２０のＣＰＵ２１からデータ送信要求を受信すると、メモリ１４のバッファ領域に蓄積されているデジタルデータの所定分を読み出して、ＤＩＴ１６を介してポータブルデジタルオーディオプレーヤ２０へ送る。該ポータブルデジタルオーディオプレーヤ２０では、ＤＩＲ２３に受信したデジタルデータは、ＨＤＤ２２に記憶される。【選択図】図１
2007172798.tif 000002
【特許請求の範囲】
【請求項１】
所定の信号を、受信側データ処理装置における処理に適合する形式のデジタルデータへ変換する変換手段と、
前記変換手段が出力した適合形式のデジタルデータを蓄積するバッファリング用メモリと、
前記受信側データ処理装置からの送信要求を受け付けると、前記バッファリング用メモリから適合形式の蓄積デジタルデータの送信要求分を送信する送信手段と、
を備えていることを特徴とする送信側データ処理装置。
【請求項２】
前記適合形式のデジタルデータとは特定の圧縮形式又はバージョンのデジタルデータであることを特徴とする請求項１記載の送信側データ処理装置。
【請求項３】
適合形式のデジタルデータを送信側データ処理装置から受信する受信手段と、
受信したデジタルデータを記憶する記憶手段と、
受信した前記適合形式のデジタルデータを前記記憶手段に記憶させる記憶制御手段と、
適合形式のデジタルデータの前記受信分に係るデータ分の次のデータ分の送信を送信側データ処理装置へ要求する送信要求手段と、
を備えていることを特徴とする受信側データ処理装置。
【請求項４】
前記記憶手段に記憶されたデジタルデータを再生する再生手段を更に備える、ことを特徴とする請求項３記載の受信側データ処理装置。
【請求項５】
前記記憶制御手段は、前記所定量のデータを前記送信側データ処理装置から受信するつど、該所定量のデータを前記記憶手段に記憶させ、
前記送信要求手段は、前記記憶手段への該データの記憶に応動して、該データの次の所定量のデータの送信を前記送信側データ処理装置へ要求することを特徴とする請求項３又は４記載の受信側データ処理装置。
【請求項６】
前記記憶制御手段は、前記適合形式のデジタルデータの受信分を、バッファリング用メモリを経由して、前記記憶手段に記憶させるものであることを特徴とする請求項３〜５のいずれかに記載の受信側データ処理装置。
【請求項７】
送信側データ処理装置と、受信側データ処理装置とを含むデータ再生記録システムであって、
前記送信側データ処理装置は、
所定の信号を、受信側データ処理装置における処理に適合する形式のデジタルデータへ変換する変換手段と、
前記変換手段が出力した適合形式のデジタルデータを蓄積するバッファリング用メモリと、
前記受信側データ処理装置からの送信要求を受け付けると、前記バッファリング用メモリから適合形式の蓄積デジタルデータの送信要求分を送信する送信手段と、
を備え、
前記受信側データ処理装置は、
適合形式のデジタルデータを送信側データ処理装置から受信する受信手段と、
受信したデジタルデータを記憶する記憶手段と、
受信した前記適合形式のデジタルデータを前記記憶手段に記憶させる記憶制御手段と、
適合形式のデジタルデータの前記受信分に係るデータ分の次のデータ分の送信を前記送信側データ処理装置へ要求する送信要求手段と、
を備えている、
ことを特徴とするデータ再生記録システム。
【請求項８】
所定の信号を、受信側データ処理装置における処理に適合する形式のデジタルデータへ変換する変換ステップと、
前記変換手段が出力した適合形式のデジタルデータをバッファリング用メモリに蓄積するステップと、
前記受信側データ処理装置からの送信要求を受け付けると、前記バッファリング用メモリから適合形式の蓄積デジタルデータの送信要求分を送信する送信ステップと、
を備えていることを特徴とする送信側データ処理方法。
【請求項９】
適合形式のデジタルデータを送信側データ処理装置から受信するステップと、
受信した前記適合形式のデジタルデータを前記記憶手段に記憶させるステップと、
適合形式のデジタルデータの前記受信分に係るデータ分の次のデータ分の送信を送信側データ処理装置へ要求するステップと、
を備えていることを特徴とする受信側データ処理方法。
【請求項１０】
記録媒体再生装置と、データ記録再生装置とを含む再生記録システムであって、
前記記録媒体再生装置は、
記録媒体から読み出した所定の信号を、データ記録再生装置における再生処理に適合する形式のデジタルデータへ変換する変換手段と、
適合形式のデジタルデータを前記データ記録再生装置へ送信する送信手段と
を備え、
前記データ記録再生装置は、
前記適合形式のデジタルデータを記録媒体再生装置から受信する受信手段と、
受信したデジタルデータを記憶する記憶手段と、
受信した前記適合形式のデジタルデータを前記記憶手段に記憶させる記憶制御手段と、
適合形式のデジタルデータの前記受信分に係るデータ分の次のデータ分の送信を前記送信側データ処理装置へ要求する送信要求手段と、
を備えていることを特徴とする再生記録システム。
【発明の詳細な説明】
【技術分野】
【０００１】
本発明は、楽曲等のコンテンツを記録及び再生自在とするポータブルデジタルプレーヤ等の受信側データ処理装置の構成の簡単化に寄与する送信側データ処理装置、受信側データ処理装置、データ再生記録システム、送信側データ処理方法、受信側データ処理方法、再生記録システムに関するものである。
【背景技術】
【０００２】
ポータブルデジタルオーディオプレーヤは、ＨＤＤ（ハードディスク装置）等の記憶装置を装備し、圧縮した楽曲データを記憶装置に記憶して、記憶装置から適宜、楽曲データを読み出して、楽曲を再生自在としている。
【０００３】
ポータブルデジタルオーディオプレーヤ自体はＣＤドライブを装備していないので、ＣＤの楽曲をポータブルデジタルオーディオプレーヤの記憶装置へ格納する場合は、ポータブルデジタルオーディオプレーヤをＣＤプレーヤへケーブルで接続し、ＣＤプレーヤでは、ＣＤを再生し、再生により得られるＲＦ信号を復調して、非圧縮のＬＰＣＭ（linear PCM）のデジタルデータを生成し、該デジタルデータをＤＩＴ（Digital Interface Transmitter）から、ケーブルを介してポータブルデジタルオーディオプレーヤのＤＩＲ（Digital Interface Receiver）へ伝送する。また、ポータブルデジタルオーディオプレーヤは、圧縮エンコーダを装備し、ＤＩＲに受信した非圧縮のＬＰＣＭのデジタルデータを圧縮エンコーダにより圧縮し、生成したデータを、バッファリング用メモリを介してＨＤＤに記憶している。
【０００４】
特許文献１はＭＤ（ミニディスク）装置等の録再装置を開示する。該録再装置は圧縮部を装備し（特許文献１の図１及び図２）、ＣＤ等の録音ソース入力からのデータは、圧縮部において圧縮してから、記録データバッファを経て記録・再生ドライブのＭＤに記録し、他のＭＤからの再生データであれば、圧縮部をバイパスして、記録データバッファを経て記録・再生ドライブのＭＤに記録するようにしている（特許文献１の段落００３８等）。
【０００５】
特許文献２は、ＨＤＤを記憶装置として装備する録再装置を開示する。該録再装置は、ＤＩＲに入力されたデジタル信号を、圧縮することなく、ＤＭＡＣによりＨＤＤへ記録している（特許文献２の図２の２４）。
【０００６】
特許文献３の装置は、映像音声記録装置を開示する。該映像音声記録装置は、変換手段、圧縮手段及び記憶手段を装備し、入力された映像音声は、変換手段においてデジタル信号へ変換され、さらに、圧縮手段において圧縮され、圧縮されたデジタル信号を記憶手段（バッファリング用メモリ）に記憶し、記憶手段のデジタル信号を間欠的に記録媒体に記録している（特許文献３の段落００２８等）。
【特許文献１】特開平１１−８６４２１号公報
【特許文献２】特開２００３−１５０１９９号公報
【特許文献３】特開２００１−２５１５８８号公報
【発明の開示】
【発明が解決しようとする課題】
【０００７】
従来のポータブルデジタルオーディオプレーヤが、ＣＤの楽曲を再生自在のデータ圧縮形式でＨＤＤ等に記録するためには、該ポータブルデジタルオーディオプレーヤは、該データ圧縮形式にデータを変換する圧縮エンコーダを実装する必要があり、このため、高い処理能力のＣＰＵを装備する必要がある。
【０００８】
また、ポータブルデジタルオーディオプレーヤでは、ＨＤＤへのデータの書込みは、間欠的に行われ、さらに、振動等により、保留されることもあるので、従来のポータブルデジタルオーディオプレーヤは、容量の比較的大きいバッファを必要とする。
【０００９】
特許文献１，２は、入力された記録用デジタル信号を変換することなく、そのままＭＤやＨＤＤ等の記憶装置に記録することを開示する。しかしながら、特許文献１，２の録再装置において、ＤＩＲに入力されたデジタル信号について変換する必要がないのは、該録再装置における再生信号のデータ形式が、ソースの再生信号のデータ形式と一致しているからであり、もし、不一致であれば、当然に、ＤＩＲに入力されたデジタル信号のデータ形式を、該録再装置の再生に適合するデータ形式へ変換してから、記憶装置に記録する必要があり、高性能のＣＰＵの装備を必要とする。
【００１０】
特許文献３の記録装置では、連続的に生成されるＭＰＥＧデジタル信号を記録媒体に間欠的に、かつ振動に因る記録保留にもかかわらず、支障なく記録するために、変換手段と記録手段との間に十分に大きい容量の記憶手段（バッファ）を介在させている。
【００１１】
本発明の目的は、送信側データ処理装置から受信側データ処理装置へデータを送信して、受信側データ処理装置において処理しようとしている場合であって、かつ送信側データ処理装置のデータ形式が受信側データ処理装置における処理に適合していない場合に、受信側データ処理装置に必要な処理性能を低下できる送信側データ処理装置、受信側データ処理装置、データ再生記録システム、送信側データ処理方法、受信側データ処理方法、再生記録システムを提供することである。
【００１２】
本発明の他の目的は、受信側データ処理装置に適合するデータへの変換出力と、記憶装置へのデータの記録とに時間的な差異がある場合に、該差異に対処する、受信側データ処理装置におけるバッファの装備を廃止又は容量低減を図ることのできる送信側データ処理装置、受信側データ処理装置、データ再生記録システム、送信側データ処理方法、受信側データ処理方法、再生記録システムを提供することである。
【課題を解決するための手段】
【００１３】
本発明の送信側データ処理装置は、
所定の信号を、受信側データ処理装置における処理に適合する形式のデジタルデータへ変換する変換手段と、
変換手段が出力した適合形式のデジタルデータを蓄積するバッファリング用メモリと、
受信側データ処理装置からの送信要求を受け付けると、バッファリング用メモリから適合形式の蓄積デジタルデータの送信要求分を送信する送信手段と、
を備えている。
【００１４】
本発明の受信側データ処理装置は、
適合形式のデジタルデータを送信側データ処理装置から受信する受信手段と、
受信したデジタルデータを記憶する記憶手段と、
受信した適合形式のデジタルデータを記憶手段に記憶させる記憶制御手段と、
適合形式のデジタルデータの受信分に係るデータ分の次のデータ分の送信を送信側データ処理装置へ要求する送信要求手段と、
を備えている。
【００１５】
本発明のデータ再生記録システムは、前述の送信側データ処理装置と、前述の受信側データ処理装置とを備えている。
【００１６】
本発明の送信側データ処理方法は、
所定の信号を、受信側データ処理装置における処理に適合する形式のデジタルデータへ変換する変換ステップと、
変換手段が出力した適合形式のデジタルデータをバッファリング用メモリに蓄積するステップと、
受信側データ処理装置からの送信要求を受け付けると、バッファリング用メモリから適合形式の蓄積デジタルデータの送信要求分を送信する送信ステップと、
を備えている。
【００１７】
本発明の受信側データ処理方法は、
適合形式のデジタルデータを送信側データ処理装置から受信するステップと、
受信した適合形式のデジタルデータを記憶手段に記憶させるステップと、
適合形式のデジタルデータの受信分に係るデータ分の次のデータ分の送信を送信側データ処理装置へ要求するステップと、
を備えている。
【００１８】
本発明の再生記録システムは記録媒体再生装置と、データ記録再生装置とを含む。記録媒体再生装置は、記録媒体から読み出した所定の信号を、データ記録再生装置における再生処理に適合する形式のデジタルデータへ変換する変換手段と、適合形式のデジタルデータをデータ記録再生装置へ送信する送信手段と、を備えている。データ記録再生装置は、適合形式のデジタルデータを記録媒体再生装置から受信する受信手段と、受信したデジタルデータを記憶する記憶手段と、受信した適合形式のデジタルデータを記憶手段に記憶させる記憶制御手段と、適合形式のデジタルデータの受信分に係るデータ分の次のデータ分の送信を送信側データ処理装置へ要求する送信要求手段と、を備えている。
【発明の効果】
【００１９】
本発明によれば、受信側データ処理装置が、その処理に適合する形式のデジタルデータを必要とする場合に、所定信号から適合形式のデジタルデータへの変換は、受信側データ処理装置ではなく、送信側データ処理装置において行なわれる。結果、受信側データ処理装置おいて必要な処理能力を低下させることができる。
【００２０】
本発明によれば、所定の信号から受信側データ処理装置の適合形式のデジタルデータへの変換処理が送信側データ処理装置において行なわれ、受信側データ処理装置は、受信した適合形式のデジタルデータについての記憶装置への記憶に応動して、データ送信要求を送信側データ処理装置へ出すようにすることにより、変換と記憶との時間差に係るデータ記憶のためのバッファを受信側データ処理装置においてほぼ廃止又は容量低減して、受信側データ処理装置の構成を簡単化することができる。
【発明を実施するための最良の形態】
【００２１】
図１は楽曲送受システム１０の概略構成図である。楽曲送受システム１０はＣＤ再生装置１１とポータブルデジタルオーディオプレーヤ２０とを装備する。ＣＤ再生装置１１は、ＣＰＵ１２、光ピックアップ装置１３、メモリ１４、圧縮エンコーダ１５及びＤＩＴ１６を装備し、光ピックアップ装置１３によりＣＤのデータを読取ることにより、ＣＤ内のトラックを再生自在になっている。
【００２２】
ポータブルデジタルオーディオプレーヤ２０は、ＣＰＵ２１、ＨＤＤ２２及びＤＩＲ２３を装備する。ポータブルデジタルオーディオプレーヤ２０は、適宜、メモリ２４を装備することもできる。ポータブルデジタルオーディオプレーヤ２０は、ユーザのポケット等に収容できる寸法及び重量であり、ユーザは、ポータブルデジタルオーディオプレーヤ２０のヘッドホンの左右の耳挿入部（図示せず）を左右の耳内へ差し込んで、ポータブルデジタルオーディオプレーヤ２０がＨＤＤ２２のデータを読出して再生する楽曲を聴取するようになっている。
【００２３】
ＣＤ再生装置１１において、光ピックアップ装置１３は、ＣＤをセットされて、ＣＤに記録されているトラックのＲＦ信号を出力する。ＣＰＵ１２は、光ピックアップ装置１３からのＲＦ信号を復調して、デジタル信号を生成する。該デジタル信号は、圧縮エンコーダ１５により圧縮され、圧縮後のデジタル信号はメモリ１４のバッファ領域に記憶される。圧縮エンコーダ１５における圧縮により生成されたデジタルデータは、ポータブルデジタルオーディオプレーヤ２０において再生処理されて、ポータブルデジタルオーディオプレーヤ２０に接続されているヘッドホン（図示せず）から音声出力自在のものになっている。
【００２４】
ＣＰＵ１２は、ポータブルデジタルオーディオプレーヤ２０のＣＰＵ２１からデータ送信要求を受信すると、メモリ１４のバッファ領域に蓄積されているデジタルデータの所定分を読み出して、ＤＩＴ１６を介してポータブルデジタルオーディオプレーヤ２０へ送る。
【００２５】
最初に、メモリ２４を装備しないポータブルデジタルオーディオプレーヤ２０について説明する。該ポータブルデジタルオーディオプレーヤ２０では、ＤＩＲ２３に受信したデジタルデータは、メモリ２４に記憶されることなく、直ちにＨＤＤ２２に記憶される。図２はメモリ２４無しポータブルデジタルオーディオプレーヤ２０における転送要求、データ転送及びデータ書込みのタイミングチャートである。
【００２６】
該メモリ２４無しポータブルデジタルオーディオプレーヤ２０では、ポータブルデジタルオーディオプレーヤ２０がＣＤ再生装置１１へ転送要求を出すと、ポータブルデジタルオーディオプレーヤ２０のＤＩＲ２３には、変換済みの圧縮されたデジタルデータがＣＤ再生装置１１のＤＩＴ１６から送られて来る。ＣＰＵ２１は、また、ＤＩＲ２３に受信したデジタルデータをＨＤＤ２２に書込む（記憶する）。ＤＩＲ２３への受信デジタルデータの書込みは、図２に示されるように、ＤＩＲ２３へのデジタルデータの受信に対して少し遅れているが、受信デジタルデータを、ＤＩＲ２３内のバッファ（図示せず。該バッファの必要容量は、遅れに対応する分であり、極めて小さい。）を経由して、ＨＤＤ２２へ書込むことにより、遅れに起因して、一部の受信デジタルデータがＨＤＤ２２へ書込まれないという事態は回避される。
【００２７】
ＣＰＵ２１は、ＨＤＤ２２への１個の転送要求の対応分のデジタルデータの記憶が終了すると又は終了が見込まれると（図２は見込みの例。）、次のデータ分の転送要求をＣＤ再生装置１１のＣＰＵ１２へ出す。
【００２８】
次に、メモリ２４付きポータブルデジタルオーディオプレーヤ２０について説明する。図３はメモリ２４付きのポータブルデジタルオーディオプレーヤ２０における転送要求、データ転送及びデータ書込みのタイミングチャートである。
【００２９】
該メモリ２４付きポータブルデジタルオーディオプレーヤ２０では、ＤＩＲ２３において受信したデジタルデータは、バッファとしてのメモリ２４に記憶される。ＣＰＵ２１は、ＨＤＤ２２の消費電力の節約のために、ＨＤＤ２２へのメモリ２４のデータの記憶を間欠的に行うこととし、典型的には、メモリ２４におけるデータ蓄積量が所定レベルに達するごとに、Ｆｉｒｓｔ  Ｉｎ  Ｆｉｒｓｔ  Ｏｕｔで、メモリ２４から所定量のデジタルデータを読み出して、それをＨＤＤ２２に記憶する。なお、ＨＤＤ２２へのデータ書込み速度は、メモリ２４へのデータ蓄積速度より十分に大きい。
【００３０】
図３では、ＣＰＵ２１は、ＤＩＲ２３への１個の転送要求の対応分のデジタルデータの受信が終了しだい、次のデータ分の転送要求をＣＤ再生装置１１のＣＰＵ１２へ出す。
【００３１】
従来の楽曲送受システム１０では、圧縮エンコーダ１５は、ＣＤ再生装置１１ではなく、ポータブルデジタルオーディオプレーヤ２０に装備され、ＣＰＵ１２は、光ピックアップ装置１３からのＲＦ信号を復調して生成されるデジタル信号を、圧縮エンコーダ１５により圧縮することなく、ポータブルデジタルオーディオプレーヤ２０へ伝送し、ポータブルデジタルオーディオプレーヤ２０は、それを自機内の圧縮エンコーダにより圧縮してからＨＤＤ２２へ記憶していた。したがって、従来の楽曲送受システム１０では、ＣＰＵ２１は十分に高い性能のものを必要としていた。
【００３２】
これに対して、楽曲送受システム１０では、ＣＤ再生装置１１に圧縮エンコーダ１５を装備する代わりに、ポータブルデジタルオーディオプレーヤ２０への圧縮エンコーダ１５の装備を省略し、ＣＰＵ２１は、性能（処理速度）の高くないものを採用できる。
【００３３】
さらに、ＨＤＤ２２へのデータの書込みは、ＨＤＤ２２の電力消費の節約のために、間欠的に行うようになっており、ポータブルデジタルオーディオプレーヤ２０に圧縮エンコーダ１５を装備する従来技術では、圧縮エンコーダ１５の出力とＨＤＤ２２への書込みとのタイミング差に対処するために、ポータブルデジタルオーディオプレーヤ２０に十分大きな容量のバッファが必要となっている。
【００３４】
これに対して、楽曲送受システム１０では、圧縮エンコーダ１５がＣＤ再生装置１１に配備され、ＣＤ再生装置１１には、バッファが必要のなるものの、ポータブルデジタルオーディオプレーヤ２０は、ＣＤ再生装置１１に対してデータ転送要求したデータ分がＤＩＲ２３に受信され、該受信分をＨＤＤ２２に記録してから、次のデータ転送要求をＣＤ再生装置１１に対して出すようにすれば、ポータブルデジタルオーディオプレーヤ２０では、圧縮エンコーダ１５の出力とＨＤＤ２２への書込みとのタイミング差に対処するための大容量のバッファを省略又は容量低減することもできる。
【００３５】
ＤＩＴ１６からＤＩＲ２３へ送信されるデジタルデータは、従来の楽曲送受システム１０では、圧縮エンコーダ１５による圧縮前のＬＰＣＭであり、伝送量が大きかったのに対し、該楽曲送受システム１０では、圧縮エンコーダ１５による圧縮後のＬＰＣＭとなり、伝送量の低減及び伝送時間の短縮を図ることができる。
【００３６】
図４は送信側データ処理装置３０のブロック図である。送信側データ処理装置３０は変換手段３１及び送信手段３２を備えている。送信側データ処理装置３０の一例はＣＤ再生装置１１（図１）である。送信側データ処理装置３０は、楽曲（オーディオ）のデータの処理装置に限定されず、ビデオデータ等のその他のコンテンツデータや、コンテンツデータ以外のアプリケーションデータの処理装置であってもよい。
【００３７】
変換手段３１は、所定の信号を、受信側データ処理装置における処理に適合する形式のデジタルデータへ、変換する。送信手段３２は、適合形式のデジタルデータを受信側データ処理装置へ送信する。
【００３８】
受信側データ処理装置の例は、ポータブルデジタルオーディオプレーヤ２０（図１）又は後述の受信側データ処理装置４５（図６又は図７）である。受信側データ処理装置は、携帯型でなくてもよいし、オーディオ以外のコンテンツについての録再装置であってもよい。
【００３９】
所定の信号とは、例えば、所定のＲＦ信号の復調信号、所定のアプリケーションの所定のバージョンに対応するデジタルデータ、圧縮前のコンテンツデータに係る信号である。また、受信側データ処理装置における処理とは、再生処理、又は所定のアプリケーションに係るデータ処理である。
【００４０】
ＲＦ信号には、ＣＤ、ＭＤ又はＤＶＤ等の光ディスクの記録データを読み取った光ピックアップの出力信号に限定されず、ラジオ放送又はテレビ放送のＲＦ信号であってもよい。
【００４１】
例えば、アプリケーションについて、上位のバージョンのものは、下位のバージョンのもので使用したデータを処理可能であるが、その逆は処理困難であることが多い。送信側データ処理装置３０に変換手段３１を実装して、該変換手段３１により、例えば、上位バージョンのデータを下位バージョンのものへ変換して、受信側データ処理装置へ送信することにより、受信側データ処理装置では、変換手段３１の実装を省略できるとともに、下位バージョンのアプリケーションにもかかわらず、データ処理が支障なく可能になる。
【００４２】
このように、変換手段３１を、受信側データ処理装置に実装する代わりに、送信側データ処理装置３０に実装して、送信側データ処理装置３０において、データ変換してから、変換後のデジタルデータを受信側データ処理装置へ送信することにより、受信側データ処理装置の装備を簡単化したり、受信側データ処理装置における処理性能の高度化の必要を回避することができる。
【００４３】
図５は図４の送信側データ処理装置３０をさらに具体化した送信側データ処理装置４０である。送信側データ処理装置４０は、さらに、バッファリング用メモリ４１を備えている。
【００４４】
バッファリング用メモリ４１は、変換手段３１が出力した適合形式のデジタルデータを蓄積する。送信手段３２は、受信側データ処理装置からの送信要求を受け付けると、バッファリング用メモリ４１から適合形式の蓄積デジタルデータの送信要求分を送信する。
【００４５】
変換手段３１がその入力信号を連続的に受付けるような場合、変換手段３１の出力も常時生成されることになるので、変換手段３１が受信側データ処理装置に実装されて、受信側データ処理装置における記憶装置への変換手段３１の出力の書込みが間欠的になる場合には、受信側データ処理装置に十分な容量のバッファが必要になる。送信側データ処理装置４０は、バッファリング用メモリ４１を装備するものの、該バッファリング用メモリ４１が受信側データ処理装置のバッファリング用メモリの代替となり、また、受信側データ処理装置が送信側データ処理装置４０に対して、データ送信要求を出すタイミングを適切化することにより、受信側データ処理装置では、バッファの省略及び容量低減が可能になる。
【００４６】
例えば、適合形式のデジタルデータとは特定の圧縮形式又はバージョンのデジタルデータである。ポータブルデジタルオーディオプレーヤ等では、楽曲のデジタルデータが特定の圧縮形式のもので、ＨＤＤ等に記録され、適宜、ＨＤＤ等から読み出して再生されるようになっている。また、アプリケーションのバージョンが異なると、処理可能なデータ形式も異なることがあり得る。
【００４７】
図６は受信側データ処理装置４５のブロック図である。受信側データ処理装置４５は、記憶手段５２と、該記憶手段５２からの読出しデータを処理する読出しデータ処理手段５３とを装備する。読出しデータ処理手段５３は、ハード及びソフトのいずれで実現されるものであってよい。受信側データ処理装置４５は、所定の信号を、読出しデータ処理手段５３に適合する形式のデジタルデータへ、変換する変換器（例：図４及び図５の変換手段３１）の装備は省略している。受信側データ処理装置４５は、受信手段４６、記憶制御手段４７及び送信要求手段４８を備えている。
【００４８】
受信手段４６は、所定の信号から変換された適合形式のデジタルデータを送信側データ処理装置から受信する。記憶制御手段４７は、適合形式のデジタルデータの受信分を記憶手段５２に記憶させる。送信要求手段４８は、適合形式のデジタルデータの受信分に係るデータ分の次のデータ分の送信を送信側データ処理装置へ要求する。
【００４９】
受信側データ処理装置４５の実施例はポータブルデジタルオーディオプレーヤ２０（図１）である。受信側データ処理装置４５は、オーディオの録再装置に限定されず、ビデオ等の他のコンテンツや、コンテンツ以外のアプリケーションの処理装置であってもよい。受信側データ処理装置４５は、携帯型でなくてもよい。記憶手段５２は、典型的にはハードディスク装置であるが、フラッシュメモリ等のその他の記憶装置であってもよい。送信側データ処理装置の一例は、ＣＤ再生装置１１（図１）、送信側データ処理装置３０（図４）又は４０（図５）である。
【００５０】
読出しデータ処理手段５３は、典型的には、記憶手段５２からの読出しデータに係る再生を行う再生器であるが、それに限定されず、記憶手段５２からの読出しデータに係る処理を行なうものであればよい。
【００５１】
こうして、送信側データ処理装置４０は、変換手段を実装を省略して、記憶手段５２から読出したデジタルデータに基づく処理を確保しつつ、該デジタルデータを記憶手段５２に記憶することができる。
【００５２】
受信側データ処理装置４５の具体的態様について説明する。
【００５３】
受信側データ処理装置４５の第１の具体的態様では、記憶制御手段４７は、所定のデータ分を送信側データ処理装置から受信するつど、該データ分を記憶手段５２に記憶させる。送信要求手段４８は、記憶手段５２への該データ分の記憶に応動して、該データ分の次のデータ分の送信を送信側データ処理装置へ要求する。
【００５４】
受信手段４６に受信したデジタルデータについての記憶手段５２への記憶に応動して、送信要求手段４８が送信側データ処理装置へ次のデータ送信要求を出すことにより、受信側データ処理装置４５は、受信手段４６に受信したデジタルデータを、記憶手段５２に記憶する前に、蓄積する必要がなくなり、バッファの省略又はバッファの必要容量の低減が可能になる。
【００５５】
なお、「記憶手段５２への該データ分の記憶に応動して」とは、受信手段４６に受信したデジタルデータが記憶手段５２へ記憶された後や、記憶はまだ完了していないものの、完了が見込まれた時（図２の転送要求は見込みの例。）を含むものとする。
【００５６】
図７は受信側データ処理装置４５の第２の具体的態様のブロック図である。受信側データ処理装置４５は、バッファリング用メモリ５７を追加されている。そして、記憶制御手段４７は、適合形式のデジタルデータの受信分を、バッファリング用メモリ５７を経由して、記憶手段５２に記憶させるものとなっている。
【００５７】
バッファリング用メモリ５７の装備により、送信要求手段４８は、受信手段４６への受信したデジタルデータが記憶手段５２に記憶されるのを待たずに、送信側データ処理装置に対して次のデータ分の送信を要求することができる。これにより、送信側データ処理装置における変換データの全部が受信側データ処理装置４５へ伝送される時間を短縮できる。
【００５８】
なお、受信側データ処理装置４５の第２の具体的態様では、バッファリング用メモリ５７が装備されるものの、受信側データ処理装置４５における変換手段の装備を省略できる利点は残る。
【００５９】
図８は送信側データ処理装置制御方法７０のフローチャートである。送信側データ処理装置制御方法７０は送信側データ処理装置３０（図４）に対応している。Ｓ７１では、所定の信号を、受信側データ処理装置における処理に適合する形式のデジタルデータへ、変換する。Ｓ７２では、適合形式のデジタルデータを受信側データ処理装置へ送信する。
【００６０】
送信側データ処理装置制御方法７０の具体的態様について説明する。
【００６１】
例えば、Ｓ７２では、変換により生成された適合形式のデジタルデータをバッファリング用メモリ４１（図５）に蓄積し、受信側データ処理装置からの送信要求を受け付けると、バッファリング用メモリ４１から適合形式の蓄積デジタルデータの送信要求分を送信する。
【００６２】
Ｓ７１における適合形式のデジタルデータとは、例えば、特定の圧縮形式又はバージョンのデジタルデータである。
【００６３】
また、Ｓ７１における所定の信号とは、例えば、所定のＲＦ信号の復調信号、又は所定のアプリケーションの所定のバージョンに対応するデジタルデータに係る信号である。さらに、受信側データ処理装置における処理とは、例えば、再生処理、又は所定のアプリケーションに係るデータ処理である。
【００６４】
図９は受信側データ処理装置制御方法８０のフローチャートである。受信側データ処理装置制御方法８０は受信側データ処理装置４５（図６）に対応している。受信側データ処理装置４５は、記憶手段５２と、該記憶手段５２からの読出しデータを処理する読出しデータ処理手段５３とを装備している。受信側データ処理装置４５は、所定の信号を、読出しデータ処理手段５３に適合する形式のデジタルデータへ、変換する変換手段の装備は省略している。
【００６５】
Ｓ８１では、所定の信号から変換された適合形式のデジタルデータを送信側データ処理装置から受信する。Ｓ８２では、適合形式のデジタルデータの受信分を記憶手段５２に記憶させる。Ｓ８３では、適合形式のデジタルデータの受信分に係るデータ分の次のデータ分の送信を送信側データ処理装置へ要求する。
【００６６】
受信側データ処理装置制御方法８０の具体的態様について述べる。
【００６７】
受信側データ処理装置制御方法８０の第１の具体的態様において、Ｓ８２では、所定のデータ分を送信側データ処理装置から受信するつど、該データ分を記憶装置に記憶させる。Ｓ８３では、記憶手段５２への該データ分の記憶に応動して、該データ分の次のデータ分の送信を送信側データ処理装置へ要求する。
【００６８】
受信側データ処理装置制御方法８０の第２の具体的態様において、Ｓ８２では、適合形式のデジタルデータの受信分を、バッファリング用メモリ５７（図７）を経由して、記憶手段５２に記憶させる。この場合、Ｓ８３における送信側データ処理装置への次のデータ分の送信要求は、記憶装置への受信済みのデータ分の記憶とは独立に実施できる。
【００６９】
送受システムは、前述の送信側データ処理装置３０又は４０（具体的態様の任意の組み合わせを含む。）と、受信側データ処理装置４５（具体的態様の任意の組み合わせを含む。）とから構成される。
【００７０】
図４の送信側データ処理装置３０を記録媒体再生装置に具体化し、また、図６の受信側データ処理装置４５をデータ記録再生装置に具体化して、該記録媒体再生装置と該データ記録再生装置とを含む再生記録システムを構築することができる。
【００７１】
該再生記録システムにおける該記録媒体再生装置は、変換手段（図４の変換手段３１に対応するもの）と、送信手段（図４の送信手段３２に対応するもの）とを備えている。該変換手段は、記録媒体から読み出した所定の信号を、データ記録再生装置における再生処理に適合する形式のデジタルデータへ変換する。また、該送信手段は、適合形式のデジタルデータをデータ記録再生装置へ送信する。
【００７２】
さらに、該再生記録システムにおける該データ記録再生装置は、受信手段（図６の受信手段４６に対応するもの）と、記憶手段（図６の記憶手段５２に対応するもの）と、記憶制御手段（図６の記憶制御手段４７に対応するもの）と、送信要求手段（図６の送信要求手段４８に対応するもの）とを備えている。該受信手段は、適合形式のデジタルデータを記録媒体再生装置から受信する。該記憶手段は、受信したデジタルデータを記憶する。該記憶制御手段は、受信した適合形式のデジタルデータを記憶手段に記憶させる。該送信要求手段は、適合形式のデジタルデータの受信分に係るデータ分の次のデータ分の送信を送信側データ処理装置へ要求する。
【００７３】
本発明を最良の形態について説明したが、本発明は、これに限定されるものではなく、発明の要旨を逸脱しない範囲で、最良の形態における各構成要素を変形して具体化できる。また、発明の要旨を逸脱しない範囲で、最良の形態に開示されている複数の構成要素を便宜、組み合わせて、追加したり、いくつかの構成要素を削除したりして、種々の発明を形成することができる。さらに、開示した複数の実施形態間で、所定の構成要素を選択し、それらを組み合わせても、種々の発明を形成することができる。
【図面の簡単な説明】
【００７４】
【図１】楽曲送受システムの概略構成図である。
【図２】メモリ無しポータブルデジタルオーディオプレーヤにおける転送要求、データ転送及びデータ書込みのタイミングチャートである。
【図３】メモリ付きのポータブルデジタルオーディオプレーヤにおける転送要求、データ転送及びデータ書込みのタイミングチャートである。
【図４】送信側データ処理装置のブロック図である。
【図５】図４の送信側データ処理装置をさらに具体化した送信側データ処理装置である。
【図６】受信側データ処理装置のブロック図である。
【図７】受信側データ処理装置の第２の具体的態様のブロック図である。
【図８】送信側データ処理装置制御方法のフローチャートである。
【図９】受信側データ処理装置制御方法のフローチャートである。
【符号の説明】
【００７５】
３０：送信側データ処理装置、３１：変換手段、３２：送信手段、４０：送信側データ処理装置、４１；バッファリング用メモリ、４５：受信側データ処理装置、４６：受信手段、４７：記憶制御手段、４８：送信要求手段、５２：記憶手段、５３：読出しデータ処理手段、５７；バッファリング用メモリ、７０：送信側データ処理装置制御方法、８０：受信側データ処理装置制御方法。
【図１】
2007172798.tif 000003
【図２】
2007172798.tif 000004
【図３】
2007172798.tif 000005
【図４】
2007172798.tif 000006
【図５】
2007172798.tif 000007
【図６】
2007172798.tif 000008
【図７】
2007172798.tif 000009
【図８】
2007172798.tif 000010
【図９】
2007172798.tif 000011